(57)【特許請求の範囲】
【請求項１】
制御ユニット（１０）と、潜熱貯蔵媒体が配置された複数の貯蔵タンク（１）と、上記制御ユニット（１０）によって駆動され、上記潜熱貯蔵媒体の結晶化プロセスを開始するためのトリガ機構（８）と、を備え、長期間の蓄熱のために建物に組み込まれる蓄熱システムの作動方法であって、
上記蓄熱システムを熱放出の間、上記潜熱貯蔵媒体の顕熱が利用される第１運転モードと上記潜熱貯蔵媒体の融解熱が利用される第２運転モードとで作動させ、
蓄積された融解熱の熱回収は上記トリガ機構（８）によって開始され、
上記運転モードの選択は要求された熱量に応じて自動的になされ、
長期間の融解熱の蓄熱は上記潜熱貯蔵媒体の過冷却融液の形で行われ、
上記蓄熱システムの熱放出の間に上記第１運転モード及び第２運転モードの両方で得られた熱は、１以上の熱消費者に供給されることを特徴とする蓄熱システムの作動方法。
【請求項２】
請求項１記載の蓄熱システムの作動方法において、
上記潜熱貯蔵媒体の顕熱が使い尽くされた時には、上記第１運転モードから上記第２運転モードへの切り替えがなされ、及び／又は、
上記制御ユニット（１０）は、上記貯蔵タンク（１）への熱の供給時には、１以上の貯蔵タンク（１）に熱を供給し、蓄熱後に、少なくとも１つの更なる貯蔵タンク（１）に切り替えて、熱が該少なくとも１つの更なる貯蔵タンク（１）に供給されるように構成されていることを特徴とする蓄熱システムの作動方法。
【請求項３】
請求項１又は２記載の蓄熱システムの作動方法において、
上記貯蔵タンク（１）のいくつか又は全ては、バルブによって独立に駆動されることを特徴とする蓄熱システムの作動方法。
【請求項４】
請求項１乃至３のいずれか１項記載の蓄熱システムの作動方法において、
上記蓄熱システムは、１以上の熱回路を備え、又は、該１以上の熱回路に接続されていて、該熱回路を経由して上記貯蔵タンク（１）からの熱が１以上の熱消費者に供給されることを特徴とする蓄熱システムの作動方法。
【請求項５】
請求項１乃至４のいずれか１項記載の蓄熱システムの作動方法において、
上記蓄熱システムは、少なくとも１つの熱回路を備え、又は、少なくとも１つの熱回路に接続されていて、該熱回路は建物を暖める加熱回路として機能していることを特徴とする蓄熱システムの作動方法。
【請求項６】
請求項１乃至５のいずれか１項記載の蓄熱システムの作動方法において、
上記制御ユニットは、少なくとも１つの消費ポイントの熱要求を示す信号を発信する少なくとも１つのセンサに接続され、少なくとも１つのセンサ信号に応じて上記貯蔵タンク（１）における導管システムの１以上のバルブを駆動することを特徴とする蓄熱システムの作動方法。
【請求項７】
請求項１乃至６のいずれか１項記載の蓄熱システムの作動方法において、
上記貯蔵タンク（１）は、その幅、その深さ又はその直径が５０ｃｍ未満であることを特徴とする蓄熱システムの作動方法。
【請求項８】
請求項７記載の蓄熱システムの作動方法において、
上記貯蔵タンク（１）は、その幅、その深さ又はその直径が５ｃｍ〜１５ｃｍであることを特徴とする蓄熱システムの作動方法。
【請求項９】
請求項１乃至８のいずれか１項記載の蓄熱システムの作動方法において、
上記潜熱貯蔵媒体は、熱の除去によって結晶化するように構成されていることを特徴とする蓄熱システムの作動方法。
【請求項１０】
請求項１乃至９のいずれか１項記載の蓄熱システムの作動方法において、
上記蓄熱システムは、木材、木材ペレット、石油若しくはガスを燃焼させるバーナー、又は、ソーラーシステムに接続されていることを特徴とする蓄熱システムの作動方法。
【発明の詳細な説明】
【技術分野】
【０００１】
本発明は、蓄熱システムに関する。
【背景技術】
【０００２】
現在のところ、建物内における温水供給のように多くの応用が公知であり、これらのために蓄熱が有利であって、望ましい。一例として、日射が届かない場合や日射が比較的弱い場合に熱を利用できるように、日中に日射によって生じる熱を蓄熱する技術が知られている。
【発明の概要】
【発明が解決しようとする課題】
【０００３】
本発明の目的は、有利な方法で作動する蓄熱システムを創作することにある。
【課題を解決するための手段】
【０００４】
本発明によると、潜熱貯蔵媒体が配置された複数の貯蔵タンクと、該貯蔵タンクに熱を供給する供給導管と該貯蔵タンクから熱を取り除く放出導管とを有する導管システムと、を備える蓄熱システムであって、上記導管システムは、１以上のバルブを有していて、少なくとも１つの上記貯蔵タンクに至る少なくとも１つの上記供給導管、及び／又は、少なくとも１つの上記貯蔵タンクからの少なくとも１つの上記放出導管は、上記１以上のバルブに接続されて該１以上のバルブを駆動するように構成された制御ユニットによって、該１以上のバルブを用いて、遮断され、又は、流量が変更されることを特徴とする。
【０００５】
本発明によると、上記蓄熱システムは、潜熱貯蔵媒体、例えば含水塩又は好ましくは熱の除去によって結晶化する他の媒体を含む複数の貯蔵タンクを備える。必要であれば、熱が上記供給導管を経由して上記潜熱容器に供給されてもよく、また、熱が上記放出導管を経由して潜熱容器から放出されてもよい。
【０００６】
熱の供給及び熱の放出は、制御ユニットによって制御又は調整され、該制御ユニットは、熱又は伝熱媒体の供給、及び、熱又は伝熱媒体の放出をそれぞれ制御又は調整するバルブを駆動する。
【０００７】
本発明は、更に、潜熱貯蔵媒体が配置された１以上の貯蔵タンクを備えた蓄熱システムに関し、上記蓄熱システムは、上記潜熱貯蔵媒体の顕熱が利用される第１運転モードにおいて運転可能なように構成され、上記潜熱貯蔵媒体の融解熱が利用される第２運転モードにおいて運転可能なように構成されている。
【０００８】
「顕熱」は潜熱貯蔵媒体の熱又は熱容量と考えられ、この潜熱貯蔵媒体は相転移が起こることなく回収されてもよい。本発明によると、蓄熱システムは、上記第１運転モード、上記第２運転モード又は両方のモードにおいて運転可能である。運転モードの選択は、熱要求に応じて第１運転モード、第２運転モード又はその両方のモード、例えば同時に又は連続的に、上記蓄熱システムを運転する制御ユニットによって特定される。
【０００９】
上記２つの発明は組み合わされてもよく、本発明の一側面において、請求項１に係る蓄熱システムは、請求項２の特徴を備えるように構成されている。
【００１０】
好ましくは、貯蔵タンクのいくつか又は全ては、バルブによって独立に駆動されてもよい。従って、１以上の貯蔵タンクを選択的に駆動する、換言すれば、該貯蔵タンクに熱を積み込む、又は、該貯蔵タンクから熱を回収することが可能である。
【００１１】
本発明において、「積み込む」及び「積み込み」又は「荷を降ろす」及び「荷降ろし」という言葉は、潜熱貯蔵媒体に熱を供給し、又は、潜熱貯蔵媒体から熱を取り除くことを意味する。
【００１２】
本発明の更なる側面において、運転モードの選択は自動的になされ、及び／又は、運転モードは独立に選択されてもよい。
【００１３】
例えば、要求された熱量に応じて、上記第１運転モード、上記第２運転モード、又は、同時に又は順次的に上記運転モードは自動的に調整可能であることが考えられる。
【００１４】
本発明の更なる側面において、上記蓄熱システムは、１以上の熱回路を備え、又は、該１以上の熱回路に接続されていて、該熱回路を経由して上記１以上の貯蔵タンクからの熱が１以上の熱消費者に供給されてもよい。
【００１５】
上記蓄熱システムは、少なくとも１つの熱回路を備え、又は、少なくとも１つの熱回路に接続されていて、該熱回路内に給水を加熱するための少なくとも１つの熱交換器が設けられている。例えば、家庭において給水を加熱するために潜熱貯蔵媒体に貯蔵された熱を利用することが考えられる。
【００１６】
本発明の更なる側面として、上記蓄熱システムは、少なくとも１つの熱回路を備え、又は、少なくとも１つの熱回路に接続されていて、該熱回路は加熱回路として機能している。従って、潜熱貯蔵媒体に貯蔵された熱を例えば建物を暖めるのに利用することが可能である。
【００１７】
本発明の更なる側面として、上記制御ユニットは、少なくとも１つの消費ポイントの熱要求、及び／又は、少なくとも１つの貯蔵タンクの熱容量を示す信号を発信する少なくとも１つのセンサに接続され、上記制御ユニットは、少なくとも１つのセンサ信号に応じて上記貯蔵タンクにおける上記導管システムの１以上のバルブを駆動する。
【００１８】
本発明の更なる側面として、上記第１運転モードにおいて、少なくとも１つの貯蔵タンクは、既に切り替えられた貯蔵タンクの顕熱量が十分でない場合には、切り替えられる。
【００１９】
更に、上記潜熱貯蔵媒体の顕熱が使い尽くされた時には、上記第１運転モードから上記第２運転モードへの切り替えがなされ、及び／又は、上記制御ユニットは、上記貯蔵タンクへの熱の供給時には、初めに最小の又は相対的に小さい熱容量で上記１以上の貯蔵タンクに熱を供給し、蓄熱後に、少なくとも１つの更なる貯蔵タンクに切り替えて、熱が該少なくとも１つの更なる貯蔵タンクに供給されるように構成されている。
【００２０】
本発明の更なる側面として、上記貯蔵タンクは、その幅、その深さ又はその直径が５０ｃｍ未満、好ましくは３０ｃｍ未満、特に好ましくは５ｃｍ〜１５ｃｍである。これら小さい寸法により、固定された、即ち、定常運転のために、上記潜熱貯蔵システム又は少なくとも１以上の貯蔵タンクを省スペースで壁と一体にすることができ、又は、壁の前方に該潜熱貯蔵システム又は少なくとも１以上の貯蔵タンクを構成することができる。
【００２１】
上で説明したように、上記潜熱貯蔵媒体は、熱の除去によって結晶化し、熱の供給によって液体に変化する貯蔵媒体が好ましい。
【００２２】
更に、上記蓄熱システムは、木材、木材ペレット、石油若しくはガスを燃焼させるバーナー、又はそのようなものからなる熱源、特にソーラーシステムに接続されている。この熱源は、導管システムに接続され、必要であれば、上記１以上の貯蔵タンクにこのようにして生成された熱を供給する役割を果たす。
【００２３】
本発明は、更に、請求項１乃至１４に係る１以上の蓄熱システムを備える建造物、又は、トラベルカーや自動車のような可動式装置に関する。
【００２４】
本発明の更なる詳細及び利点は、図示された実施形態を参照して詳細に説明されるであろう。
【図面の簡単な説明】
【００２５】
【図１】本発明の実施形態に係る蓄熱システムを示す図である。
【発明を実施するための形態】
【００２６】
本発明に係る蓄熱システムは、符号１で示される複数の貯蔵タンク１、後続に参照されるクラスター１を備えている。これらのクラスター１は、特に定常的な長期間の蓄熱及び消費に関連する熱供給に有用である。図１に示すように、潜熱貯蔵ユニットは、任意の個数の貯蔵タンク又はクラスター１を備えている。
【００２７】
各クラスター１は、潜熱貯蔵媒体によって満たされている。
【００２８】
本発明に係る蓄熱システムは、必要なセンサ及び潜熱蓄熱媒体に熱を給排する熱回路を有する中央制御ユニット１０を更に備えている。
【００２９】
図１に示すように、各クラスター１は、それぞれバルブ・ブロック２内で結合されたバルブによって駆動されてもよい。すなわち、熱は各クラスター１に選択的に供給されてもよいし、各クラスター１から選択的に放出されてもよい。これはバルブ・ブロック２内にあるバルブを切り替えることによってなされ、これらのバルブは制御ユニット１０によって同様に駆動される。
【００３０】
図１から更に分かるように、クラスター１内にある潜熱貯蔵媒体の熱は、熱回路を稼働するのに利用されてもよく、図の熱回路は参照番号６によって示されている。当該熱回路は、バルブ・ブロック３内の対応するバルブを切り替えることによって駆動される。
【００３１】
更に、追加の熱回路が設けられており、この熱回路は、給水として温水を供給するプレート式熱交換器４を有している。例えば家屋のような温水連結部は、参照番号５で示されている。
【００３２】
この追加の熱回路もバルブ・ブロック３の対応するバルブによって駆動される。両熱回路のポンプのようなバルブ・ブロック３内のバルブの駆動は、制御ユニット１０によってなされる。
【００３３】
図１に更に示されるように、各クラスター１は管状であって潜熱貯蔵媒体、好ましくは含水塩で満たされている。水又は他の伝熱媒体によって満たされ又は横断された導管がクラスター１に広がっており、潜熱貯蔵媒体そのもののような水又は他の伝熱媒体は、運転モードに応じてクラスター１内の潜熱貯蔵媒体に放熱し、又は、当該潜熱貯蔵媒体から吸熱する。
【００３４】
完全に蓄熱した後に、潜熱貯蔵ユニット又はクラスター１は、２つの別々のモードにおいて蓄積した熱を放熱するのが好ましい。本発明では運転における「二者択一モード」も含まれているが、このモードの不利益は回避される。
【００３５】
顕熱の利用及び融解熱の利用は、短期間の熱供給及び長期間の熱供給を独立して相互に提供する。
【００３６】
顕熱は短期間蓄熱され、本実施形態では主に給水を加熱するのに用いられるのが好ましい一方、融解熱又は潜熱は長期的に供給されて例えば加熱システムの作動のために供給されてもよい。
【００３７】
短期的蓄熱における動作挙動は、市販の通常の蓄熱技術と同じである。しかしながら、ここで示す実施形態では、プレート式熱交換器は温水槽の代わりに利用されている。これにより、汚染又はレジオネラの蔓延のリスクは初めから防止される。これとは別に、バクテリア除去のための予防措置として温度を上げることによってエネルギーを損失することがなくなる。
【００３８】
クラスター１又はクラスター１に配置された潜熱貯蔵媒体への蓄熱は、利用できる全ての熱源を経由してなされる。例として、太陽熱発電所、木材ペレット、暖炉、石油又はガスバーナー等が挙げられる。
【００３９】
蓄熱及び放熱プロセス、すなわちクラスター１への熱供給及びクラスター１からの熱放出は、統合中央コントローラ１０によって制御又は調整される。
【００４０】
各クラスター１は情報処理機能を持ち且つ予見可能な方法で選択され、そして蓄熱及び放熱されてもよい。
【００４１】
顕熱も同様にコントローラ１０によって必要に応じて選択及び供給されてもよい。
【００４２】
長期間の蓄熱は、含水塩の過冷却融液又は他の適切な潜熱貯蔵媒体の形で行われるのが好ましい。この蓄熱は長期的であって、温度が安定している。１ｋＷｈクラスター１において熱回収がなされると考えられる。中央コントローラ１０によって熱回収及び熱供給の両方を実行することが考えられる。トリガ機構８がクラスター１において含水塩の再結晶を開始するため、蓄積された融解熱に対して熱回収を行ってもよい。これにより、クラスター１内の含水塩は５８℃まで加熱され、熱回路を経由して熱が供給される。この温度は例示であって、本発明を制限するものではないことは言うまでもない。トリガ機構８は、自動的に駆動されるのが好ましく、特にコントローラ１０によって駆動されるのが好ましい。
【００４３】
図１に示すように、クラスター１は管状構造を有している。図示された実施形態では、クラスター１は１０ｃｍの径を有している。定常状態での使用において、クラスター１は省スペースの形で壁と一体化され、又は、壁の前方に組み込まれてもよい。すなわち、本システムは特に建物に適切に組み込まれて、該建物において例えば給水を加熱し、及び／又は、本加熱システムの操作の一部として用いられる。
【００４４】
クラスター１への蓄熱は、バルブ・ブロック２に対応するバルブの制御によって図示しない熱源からなされる。好ましくは、太陽熱が供給される。中央制御ユニット１０は、完全に放熱したクラスター１を選択する。運転状態は、クラスター１に設けられたセンサユニット７によって検知される。組み込まれたバルブ・ブロック２及び３を介して、選択されたクラスタ１は、水圧で選択され、熱が「充填」されるように熱回路に組み込まれる。
【００４５】
蓄熱運転は、クラスター１に又はその中のセンサユニット７が潜熱蓄熱媒体の完全な溶解を検知するまで継続する。そして、蓄熱運転が完了する。
【００４６】
もし熱源からの更なる熱が利用可能であれば、追加のクラスター１を選択して、上記のように蓄熱することができる。
【００４７】
蓄熱完了後、潜熱貯蔵媒体は約７０℃〜８０℃まで加熱される。断熱によって、顕熱は主に蓄積されて温水を準備するために利用されてもよい。
【００４８】
温水要求があると、当該要求がプレート式熱交換器４においてセンサを用いて制御ユニット１０によって検知され、クラスター１が選択される。選択されたクラスター１は、バルブ・ブロック２及び３並びに当該クラスター１に含まれるバルブのバルブ部位を介して、プレート式熱交換器４と互いに連結されている。伝熱媒体を用いて顕熱を除去することによって、上記選択されたクラスター１に対応する潜熱貯蔵媒体は、冷却され、例えば除去された熱量に応じて過冷却融液になる。
【００４９】
結晶化プロセスが未だ開始されていないため、貯蔵された融解熱はまだ利用可能である。
【００５０】
クラスター１の熱量が温水要求を十分に満たさない場合、追加のクラスター１が切り替えられてもよい。全てのクラスター１の顕熱の熱量に基づいて貯蔵タンクが底をついた場合、以下のようにして融解熱を放出することによって追加の温水要求を満たす。
【００５１】
過冷却融液は、少しの間でも熱エネルギーを蓄積してもよい。この蓄積された熱が温水要求を満たすために要求された場合、中央制御ユニット１０は、１以上のクラスター１を選択する。
【００５２】
図示されたトリガ機構８を介して、潜熱貯蔵媒体の結晶化プロセスが開始される。クラスター１は、水圧によってバルブ・ブロック２及び３を介して要求元に接続される。要求元はプレート式熱交換器４、換言すると、給水を要求された熱又は熱回路６である。他の熱消費者を考慮してもよい。
【００５３】
つまり、クラスター１から熱を回収するために、クラスター１が順々に選択される。クラスター１の蓄熱及び／又は放熱は、グループでなされる。換言すると、１以上のクラスター１が同時に蓄熱及び／又は放熱される。
【００５４】
図１から更に分かるように、伝熱媒体のための導管システムは、クラスター１内に存在し、主に温水を供給する熱交換器９を備えている。熱交換器９又はクラスター１内に存在するか若しくは熱交換器９を横切る伝熱媒体は、主にクラスター１内の潜熱貯蔵媒体の顕熱を利用する。
【００５５】
上記実施形態において、含水塩の融解熱は、潜熱貯蔵媒体の顕熱が使い尽くされた後に要求された。原則として、これらのプロセスを連続的に行うだけでなく、同時に行ってもよいのは言うまでもない。例えば、給水を用意するため又は顕熱が十分なヒート・シンクのために１以上のクラスターを採用してもよく、加熱運転又は相転移による熱放出が要求されるヒート・シンクのために１以上のクラスターを採用してもよい。
【００５６】
上記コントローラ１０によって１以上のクラスターが完全に自動で放熱プロセス及び蓄熱プロセスを実行する場合に特に有利である。
【図１】
0006055594.tif 000002